(57)【特許請求の範囲】
【請求項１】
ワイヤハーネスの電線部分を覆う外装部材を取り付けるための外装部材取付装置であって、
前記外装部材は、接着面と外装面とを有したシート状に形成されるとともに、前記接着面を内側にして前記電線部分を挟み、該接着面同士の接着により該電線部分を覆うシート部材であって、
前記電線部分を挟んで二つ折りにした状態の前記シート部材を一方の前記外装面側から支持する支持手段と、
前記シート部材の他方の前記外装面に沿って転動し該シート部材を押圧する押圧手段と、を備え、
前記支持手段は、前記シート部材の長手方向に沿って長尺に形成されるとともに該シート部材を載置する支持面を有した板状の第一支持部材と、該第一支持部材の長手方向に沿って前記押圧手段を案内する案内部材と、を備え、
前記押圧手段は、前記案内部材に案内されて移動するスライド部材と、該スライド部材に回転自在に支持されて前記第一支持部材の支持面との間に前記シート部材を挟んで転動可能な第一転動部材と、を備えて構成されていることを特徴とする外装部材取付装置。
【請求項２】
前記スライド部材は、前記案内部材に対してその案内方向に沿った軸回りに回動自在に支持され、
前記支持手段は、前記第一転動部材が前記シート部材を押圧する押圧位置にて前記スライド部材の回動を規制する規制部材を有し、該規制部材には、前記第一支持部材の長手方向に沿った所定位置にて前記スライド部材の回動規制を解除する規制解除部が設けられていることを特徴とする請求項１に記載の外装部材取付装置。
【請求項３】
前記シート部材は、前記外装面から突出した突起を有し、該突起を係合させることによって固定体に取り付け可能に構成されたものであって、
前記第一支持部材には、前記支持面から凹んで形成されて前記突起と係合可能な係合凹部が設けられていることを特徴とする請求項１又は２に記載の外装部材取付装置。
【請求項４】
ワイヤハーネスの電線部分を覆う外装部材を取り付けるための外装部材取付装置であって、
前記外装部材は、接着面と外装面とを有したシート状に形成されるとともに、前記接着面を内側にして前記電線部分を挟み、該接着面同士の接着により該電線部分を覆うシート部材であって、
前記電線部分を挟んで二つ折りにした状態の前記シート部材を一方の前記外装面側から支持する支持手段と、
前記シート部材の他方の前記外装面に沿って転動し該シート部材を押圧する押圧手段と、を備え、
前記支持手段は、前記シート部材の長手方向に沿って長尺に形成されるとともに該シート部材を載置する支持面を有した板状の第二支持部材を備え、
前記押圧手段は、押圧本体部と、該押圧本体部に回転自在に支持されて前記第二支持部材の支持面との間に前記シート部材を挟んで転動可能な第二転動部材と、前記押圧本体部に設けられて前記第二支持部材の端面に当接可能な一対の第一当接部材と、前記押圧本体部に設けられて前記第二支持部材の裏面に当接可能な一対の第二当接部材と、を備えて構成されていることを特徴とする外装部材取付装置。
【請求項５】
前記押圧本体部は、前記支持面と直交方向に進退移動自在に支持された進退部材を有し、前記各一対の第一当接部材及び前記第二当接部材のうちの各一方と前記第二転動部材とが前記進退部材に設けられていることを特徴とする請求項４に記載の外装部材取付装置。
【請求項６】
ワイヤハーネスの電線部分を覆う外装部材を取り付けるための外装部材取付装置であって、
前記外装部材は、接着面と外装面とを有したシート状に形成されるとともに、前記接着面を内側にして前記電線部分を挟み、該接着面同士の接着により該電線部分を覆うシート部材であって、
前記電線部分を挟んで二つ折りにした状態の前記シート部材を一方の前記外装面側から支持する支持手段と、
前記シート部材の他方の前記外装面に沿って転動し該シート部材を押圧する押圧手段と、を備え、
前記支持手段は、前記シート部材の前記一方の外装面に当接して転動可能な第三支持部材を備え、
前記押圧手段は、前記第三支持部材との間に前記シート部材を挟んで転動する第三転動部材と、該第三転動部材と前記第三支持部材とを離接させるとともに前記シート部材を押圧する位置でロックするロック機構と、を備えて構成されていることを特徴とする外装部材取付装置。
【請求項７】
ワイヤハーネスの電線部分を覆う外装部材を取り付けるための外装部材取付装置であって、
前記外装部材は、接着面と外装面とを有したシート状に形成されるとともに、前記接着面を内側にして前記電線部分を挟み、該接着面同士の接着により該電線部分を覆うシート部材であって、
前記電線部分を挟んで二つ折りにした状態の前記シート部材を一方の前記外装面側から支持する支持手段と、
前記シート部材の他方の前記外装面に沿って転動し該シート部材を押圧する押圧手段と、を備え、
前記支持手段は、前記シート部材の前記一方の外装面に当接して転動可能な第四支持部材を備え、
前記押圧手段は、前記第四支持部材との間に前記シート部材を挟んで転動する第四転動部材と、該第四転動部材と前記第四支持部材とを離接させるとともに前記シート部材を押圧する位置に向かって前記第四転動部材を付勢する付勢手段と、を備えて構成されていることを特徴とする外装部材取付装置。
【請求項８】
前記押圧手段に設けられて前記シート部材を二つ折り形状に付勢するとともに、該シート部材の内方に前記電線部分を位置付ける位置決め部をさらに備えて構成されていることを特徴とする請求項１〜７のいずれか一項に記載の外装部材取付装置。
【請求項９】
ワイヤハーネスの電線部分を覆う外装部材を取り付ける外装部材取付方法であって、
接着面と外装面とを有したシート状に形成されるとともに、前記接着面を内側にして前記電線部分を挟み、該接着面同士の接着により該電線部分を覆うシート部材である前記外装部材を用い、
前記シート部材を二つ折りにして前記電線部分を挟むとともに、前記シート部材の長手方向に沿って長尺に形成されるとともに該シート部材を載置する支持面を有した板状の第一支持部材と、該第一支持部材の長手方向に沿ってスライド部材を案内する案内部材とを備えた支持手段によって、該シート部材を一方の前記外装面側から支持し、
前記シート部材の他方の前記外装面に沿って、前記案内部材により前記スライド部材を移動し、該スライド部材に回転自在に支持されて前記第一支持部材の支持面との間に前記シート部材を挟んで転動可能な第一転動部材を転動させて該シート部材を押圧することを特徴とする外装部材取付方法。
【発明の詳細な説明】
【技術分野】
【０００１】
本発明は、外装部材取付装置及び外装部材取付方法に関し、詳しくは、ワイヤハーネスの電線部分を覆う外装部材を取り付けるための外装部材取付装置及び外装部材取付方法に関する。
【背景技術】
【０００２】
従来、自動車等に配索されるワイヤハーネスにおいて、その電線部分を覆って保護するための外装部材が各種提案されている（例えば、特許文献１、２参照）。特許文献１記載の外装部材（保護材）は、塩化ビニール製のシートから構成されており、このシートを電線群の外周に巻き付けてから、シートの巻き付け方向両端部を重ね、重ねた部分を熱溶着機の熱圧着部に配して加圧かつ加熱することで溶着し、これによりワイヤハーネスに取り付けられるようになっている。特許文献２記載の外装部材（保護シート）は、ゴムシートと、その一方面に形成された粘着層とを備えて構成されており、このシートを電線群の外周に巻き付けて粘着層を電線群に粘着させるとともに、巻き付け方向開始側のシートに終端側の粘着層を重ねて粘着させることで、ワイヤハーネスに取り付けられるようになっている。【０００３】
ところで、ワイヤハーネスは、自動車等に配索する際の配線形態にほぼ添うように二次元的に配設され、この配設された状態において外装部材が取り付けられることが一般的である。即ち、ワイヤハーネスは、端末部にコネクタが接続された複数のプリハーネスを布線板等に設置し、このプリハーネスの電線部分を係止ピン等で係止して所定の配索形態に保持してから、所定区間ごとの電線部分に外装部品を取り付け、外装部品の端部を電線部分にテープで固定するなどして製作される。従って、このようなワイヤハーネスの製造手順に対応して、所定の電線部分に外装部材を適切に取り付ける必要がある。
【先行技術文献】
【特許文献】
【０００４】
【特許文献１】特開平１１−７８５６号公報
【特許文献２】特開２００９−３０２０２３号公報
【発明の概要】
【発明が解決しようとする課題】
【０００５】
しかしながら、特許文献１に記載されたような従来の取付方法では、外装部材の取付位置ごとに熱溶着機を準備しておくか、熱溶着機を移動させる必要があるため、製造設備が大掛かりになったり、取付作業の手間が多大になったりなど、様々な問題が生じる。一方、特許文献２に記載されたような従来の取付方法では、作業者の手作業によって１枚ずつのシートを巻き付けて接着するために、外装部材の取付作業の作業性が高められないとともに、シートを巻き付ける際に粘着層が意図しない部位に粘着してシートが無駄になるなどの問題もある。このため、所定の配索形態に保持したワイヤハーネスに対して効率よく外装部材を取り付けることができる取付装置の開発が望まれていた。【０００６】
本発明は、上記した点に鑑み、装置の大型化や複雑化を招くことなく外装部材の取付作業の効率を向上させることができる外装部材取付装置及び外装部材取付方法を提供することを目的とする。
【課題を解決するための手段】
【０００７】
前記課題を解決するために、請求項１に記載された本発明の外装部材取付装置は、ワイヤハーネスの電線部分を覆う外装部材を取り付けるための外装部材取付装置であって、前記外装部材は、接着面と外装面とを有したシート状に形成されるとともに、前記接着面を内側にして前記電線部分を挟み、該接着面同士の接着により該電線部分を覆うシート部材であって、前記電線部分を挟んで二つ折りにした状態の前記シート部材を一方の前記外装面側から支持する支持手段と、前記シート部材の他方の前記外装面に沿って転動し該シート部材を押圧する押圧手段と、を備え、前記支持手段は、前記シート部材の長手方向に沿って長尺に形成されるとともに該シート部材を載置する支持面を有した板状の第一支持部材と、該第一支持部材の長手方向に沿って前記押圧手段を案内する案内部材と、を備え、前記押圧手段は、前記案内部材に案内されて移動するスライド部材と、該スライド部材に回転自在に支持されて前記第一支持部材の支持面との間に前記シート部材を挟んで転動可能な第一転動部材と、を備えて構成されていることを特徴とする。
【０００９】
請求項２に記載された外装部材取付装置は、請求項１に記載の外装部材取付装置において、前記スライド部材は、前記案内部材に対してその案内方向に沿った軸回りに回動自在に支持され、前記支持手段は、前記第一転動部材が前記シート部材を押圧する押圧位置にて前記スライド部材の回動を規制する規制部材を有し、該規制部材には、前記第一支持部材の長手方向に沿った所定位置にて前記スライド部材の回動規制を解除する規制解除部が設けられていることを特徴とする。
【００１０】
請求項３に記載された外装部材取付装置は、請求項１又は２に記載の外装部材取付装置において、前記シート部材は、前記外装面から突出した突起を有し、該突起を係合させることによって固定体に取り付け可能に構成されたものであって、前記第一支持部材には、前記支持面から凹んで形成されて前記突起と係合可能な係合凹部が設けられていることを特徴とする。
【００１１】
請求項４に記載された本発明の外装部材取付装置は、ワイヤハーネスの電線部分を覆う外装部材を取り付けるための外装部材取付装置であって、前記外装部材は、接着面と外装面とを有したシート状に形成されるとともに、前記接着面を内側にして前記電線部分を挟み、該接着面同士の接着により該電線部分を覆うシート部材であって、前記電線部分を挟んで二つ折りにした状態の前記シート部材を一方の前記外装面側から支持する支持手段と、前記シート部材の他方の前記外装面に沿って転動し該シート部材を押圧する押圧手段と、を備え、前記支持手段は、前記シート部材の長手方向に沿って長尺に形成されるとともに該シート部材を載置する支持面を有した板状の第二支持部材を備え、前記押圧手段は、押圧本体部と、該押圧本体部に回転自在に支持されて前記第二支持部材の支持面との間に前記シート部材を挟んで転動可能な第二転動部材と、前記押圧本体部に設けられて前記第二支持部材の端面に当接可能な一対の第一当接部材と、前記押圧本体部に設けられて前記第二支持部材の裏面に当接可能な一対の第二当接部材と、を備えて構成されていることを特徴とする。
【００１２】
請求項５に記載された本発明の外装部材取付装置は、請求項４に記載の外装部材取付装置において、前記押圧本体部は、前記支持面と直交方向に進退移動自在に支持された進退部材と、該進退部材を前記支持面に向かって付勢する付勢手段と、を有し、前記各一対の第一当接部材及び前記第二当接部材のうちの各一方と前記第二転動部材とが前記進退部材に設けられていることを特徴とする。
【００１３】
請求項６に記載された本発明の外装部材取付装置は、ワイヤハーネスの電線部分を覆う外装部材を取り付けるための外装部材取付装置であって、前記外装部材は、接着面と外装面とを有したシート状に形成されるとともに、前記接着面を内側にして前記電線部分を挟み、該接着面同士の接着により該電線部分を覆うシート部材であって、前記電線部分を挟んで二つ折りにした状態の前記シート部材を一方の前記外装面側から支持する支持手段と、前記シート部材の他方の前記外装面に沿って転動し該シート部材を押圧する押圧手段と、を備え、前記支持手段は、前記シート部材の前記一方の外装面に当接して転動可能な第三支持部材を備え、前記押圧手段は、前記第三支持部材との間に前記シート部材を挟んで転動する第三転動部材と、該第三転動部材と前記第三支持部材とを離接させるとともに前記シート部材を押圧する位置でロックするロック機構と、を備えて構成されていることを特徴とする。
【００１４】
請求項７に記載された本発明の外装部材取付装置は、ワイヤハーネスの電線部分を覆う外装部材を取り付けるための外装部材取付装置であって、前記外装部材は、接着面と外装面とを有したシート状に形成されるとともに、前記接着面を内側にして前記電線部分を挟み、該接着面同士の接着により該電線部分を覆うシート部材であって、前記電線部分を挟んで二つ折りにした状態の前記シート部材を一方の前記外装面側から支持する支持手段と、前記シート部材の他方の前記外装面に沿って転動し該シート部材を押圧する押圧手段と、を備え、前記支持手段は、前記シート部材の前記一方の外装面に当接して転動可能な第四支持部材を備え、前記押圧手段は、前記第四支持部材との間に前記シート部材を挟んで転動する第四転動部材と、該第四転動部材と前記第四支持部材とを離接させるとともに前記シート部材を押圧する位置に向かって前記第四転動部材を付勢する付勢手段と、を備えて構成されていることを特徴とする。
【００１５】
請求項８に記載された本発明の外装部材取付装置は、請求項１〜７のいずれか一項に記載の外装部材取付装置において、前記押圧手段に設けられて前記シート部材を二つ折り形状に付勢するとともに、該シート部材の内方に前記電線部分を位置付ける位置決め部をさらに備えて構成されていることを特徴とする。
【００１６】
請求項９に記載された本発明の外装部材取付方法は、ワイヤハーネスの電線部分を覆う外装部材を取り付ける外装部材取付方法であって、接着面と外装面とを有したシート状に形成されるとともに、前記接着面を内側にして前記電線部分を挟み、該接着面同士の接着により該電線部分を覆うシート部材である前記外装部材を用い、前記シート部材を二つ折りにして前記電線部分を挟むとともに、前記シート部材の長手方向に沿って長尺に形成されるとともに該シート部材を載置する支持面を有した板状の第一支持部材と、該第一支持部材の長手方向に沿ってスライド部材を案内する案内部材とを備えた支持手段によって、該シート部材を一方の前記外装面側から支持し、前記シート部材の他方の前記外装面に沿って、前記案内部材により前記スライド部材を移動し、該スライド部材に回転自在に支持されて前記第一支持部材の支持面との間に前記シート部材を挟んで転動可能な第一転動部材を転動させて該シート部材を押圧することを特徴とする。
【発明の効果】
【００１７】
請求項１記載の発明によれば、電線部分を挟んで二つ折りにしたシート部材を支持手段で支持し、このシート部材の他方の外装面に沿って押圧手段を転動させてシート部材を押圧することで、電線部分を挟んだシート部材の接着面同士を簡単かつ確実に接着することができ、ワイヤハーネスに対する外装部材の取付作業の作業性を向上させることができる。【００１８】
また、支持面を有した板状の第一支持部材と、押圧手段を案内する案内部材と、を備えて支持手段が構成され、案内部材に案内されるスライド部材と、支持面との間にシート部材を挟んで転動可能な第一転動部材と、を備えて押圧手段が構成されているので、シート部材を支持面によって確実に支持しつつ、その長手方向に沿って第一転動部材を転動させてシート部材を押圧することができる。
【００１９】
請求項２記載の発明によれば、案内部材に対してスライド部材が回動自在に支持され、押圧位置にてスライド部材の回動を規制する規制部材を支持手段が有するとともに、規制部材に規制解除部が設けられているので、規制解除部でスライド部材の回動規制を解除して回動させることによって、押圧位置から第一転動部材を退避させることができる。従って、第一支持部材にシート部材及びワイヤハーネスをセットする際や、シート部材の取り付けが完了したワイヤハーネスを取り出す際には、スライド部材を回動させて第一転動部材を退避させることで、セット作業及び取り出し作業を容易に実施することができる。
【００２０】
請求項３記載の発明によれば、シート部材に設けられた突起を第一支持部材の係合凹部に係合させることで、第一支持部材の支持面にシート部材を位置決めすることができ、シート部材の二つ折り作業や接着作業の際に位置ずれを防止することができ、作業効率をさらに向上させるとことができる。
【００２１】
請求項４記載の発明によれば、支持面を有した板状の第二支持部材を備えて支持手段が構成され、押圧本体部と、第二転動部材と、一対の第一当接部材と、一対の第二当接部材と、を備えて押圧手段が構成されているので、各一対の第一当接部材及び第二当接部材によって第二支持部材と位置決めした状態で、第二転動部材を転動させてシート部材を押圧することができる。従って、支持手段の構成を簡単化して小型化することができるので、布線板等に複雑な配索形態で設置されたワイヤハーネスに対して支持手段を設置しやすくでき、この支持手段の第二支持部材に対して押圧手段の位置ずれを防止しつつシート部材の接着作業を円滑に実施することができる。
【００２２】
請求項５記載の発明によれば、進退部材を有して押圧本体部が構成され、進退部材に第一当接部材及び第二当接部材と第二転動部材とが設けられているので、進退部材を第二支持部材の支持面に向かって移動させることで、第二転動部材でシート部材を押圧することができる。さらに、進退部材を支持面から離れる方向に移動させることで、シート部材のセット作業及び取り出し作業を容易に実施することができる。
【００２３】
請求項６記載の発明によれば、シート部材の一方の外装面に当接して転動可能な第三支持部材を備えて支持手段が構成され、第三支持部材との間にシート部材を挟んで転動する第三転動部材を備えて押圧手段が構成され、ロック機構によって第三転動部材と第三支持部材とを接近させてシート部材を押圧する位置でロックすることで、シート部材を押圧して接着することができる。このような構成において、第三支持部材と第三転動部材及びロック機構とが一体に搬送可能に構成されていれば、複雑な配索形態で設置されたワイヤハーネスに対して、適宜な位置に外装部材取付装置を搬送してシート部材の接着作業を実施することができる。
【００２４】
請求項７記載の発明によれば、シート部材の一方の外装面に当接して転動可能な第四支持部材を備えて支持手段が構成され、第四支持部材との間にシート部材を挟んで転動する第四転動部材を備えて押圧手段が構成され、付勢手段によって第四転動部材と第四支持部材とを接近させてシート部材を押圧することで、シート部材を押圧して接着することができる。このような構成において、第四支持部材と第四転動部材及び付勢手段とが一体に搬送可能に構成されていれば、複雑な配索形態で設置されたワイヤハーネスに対して、適宜な位置に外装部材取付装置を搬送してシート部材の接着作業を実施することができる。
【００２５】
請求項８記載の発明によれば、押圧手段に設けた位置決め部によってシート部材を二つ折り形状に付勢し、その内方に電線部分を位置付けることで、シート部材を接着する際に電線部分がはみ出したり押圧手段で押圧する部分に噛み込んだりすることが防止でき、接着作業の作業効率をより一層向上させることができる。
【００２６】
請求項９記載の発明によれば、前述のように電線部分を挟んだシート部材の接着面同士を簡単かつ確実に接着することができ、ワイヤハーネスに対する外装部材の取付作業の作業性を向上させることができる。
【図面の簡単な説明】
【００２７】
【図１】本発明の第一実施形態に係る外装部材取付装置を示す平面図である。
【図２】前記外装部材取付装置の一部を拡大して示す平面図である。
【図３】前記外装部材取付装置の一部を拡大して示す側面図である。
【図４】前記外装部材取付装置の一部を拡大して示す斜視図である。
【図５】前記外装部材取付装置の動作を示す側面図である。
【図６】前記外装部材取付装置の変形例を示す斜視図である。
【図７】前記外装部材取付装置を示す側面図である。
【図８】前記外装部材取付装置の動作を示す側面図及び断面図である。
【図９】本発明の第二実施形態に係る外装部材取付装置を示す斜視図である。
【図１０】前記外装部材取付装置の動作を示す側面図である。
【図１１】前記外装部材取付装置の一部を拡大して示す側面図である。
【図１２】前記外装部材取付装置の一部を拡大して示す斜視図である。
【図１３】本発明の第三実施形態に係る外装部材取付装置を示す斜視図である。
【図１４】前記外装部材取付装置の動作を示す正面図である。
【図１５】前記外装部材取付装置の動作を示す側面図である。
【図１６】本発明の第四実施形態に係る外装部材取付装置を示す正面図である。
【図１７】前記外装部材取付装置の動作を示す側面図である。
【発明を実施するための形態】
【００２８】
［第一実施形態］
以下、本発明の第一実施形態にかかる外装部材取付装置を、図１〜図８を参照して説明する。本実施形態の外装部材取付装置１は、ワイヤハーネスＷの製造過程において、該ワイヤハーネスＷの電線部分Ｗ１に、これを覆う外装部材であるシート部材Ｓを取り付けるための装置である。この外装部材取付装置１は、図１に示すように、ワイヤハーネスＷを所定の配線形態で配置するための布線板に設けられ、ワイヤハーネスＷにおける所定区間ごとの電線部分Ｗ１にシート部材Ｓを取り付けることができるようになっている。
【００２９】
シート部材Ｓは、保護層と接着層とを有してシート状に形成され、図３に示すように、接着面Ｓ１を内側にして外装面Ｓ２を外側にして二つ折りにされるとともに接着面Ｓ１同士が接着され、これによりシート部材Ｓの間に挟んだ電線部分Ｗ１を保護するものである。また、シート部材Ｓには、外装面Ｓ２から突出した突起としてのクランプ（不図示）が取り付けられており、このクランプを固定体である車両ボディ等に係合させることによって、ワイヤハーネスＷが車両に取り付け可能に構成されている。
【００３０】
外装部材取付装置１は、図１〜５に示すように、電線部分Ｗ１を挟んで二つ折りにした状態のシート部材Ｓを一方の外装面Ｓ２側から支持する支持手段２と、シート部材Ｓの他方の外装面Ｓ２側からシート部材Ｓを押圧する押圧手段３と、を備えて構成されている。なお、本実施形態において、支持手段２及び押圧手段３は、ワイヤハーネスＷにおける比較的長く形成された電線部分Ｗ１に対応して設けられ、複雑に分岐した短い電線部分Ｗ１に対しては、後述する第二、三、四実施形態の外装部材取付装置１Ａ，１Ｂ，１Ｃを利用して電線部分Ｗ１にシート部材Ｓが取り付けられるようになっている。
【００３１】
支持手段２は、電線部分Ｗ１及びシート部材Ｓの長手方向に沿って長尺に形成された板状の第一支持部材としてのベースプレート２１と、このベースプレート２１の長手方向に沿った端縁から立設された規制部材としての立設板２２と、この立設板２２に支持されてベースプレート２１の長手方向に沿って延びる案内部材としてのスライド軸２３と、を備えている。また、支持手段２のベースプレート２１には、当該ベースプレート２１で支持する電線部分Ｗ１から分岐した他の電線部分Ｗ１を保持する複数の電線保持部２４が設けられている。
【００３２】
ベースプレート２１は、その上面にシート部材Ｓを載置して支持する支持面２１Ａを有し、支持面２１Ａには、二つ折りにしたシート部材Ｓを幅方向から位置決めする一対の位置決め片２５と、ベースプレート２１の長手方向に沿った所定位置に取り付けられたクランプ受け２６と、が設けられている。クランプ受け２６は、支持面２１Ａから凹んで形成された係合凹部２６Ａを有し、この係合凹部２６Ａにシート部材Ｓのクランプを係合させることで、シート部材Ｓが支持面２１Ａに保持されるようになっている。
【００３３】
立設板２２は、その基部がベースプレート２１に固定されるとともに、該立設板２２の上端縁２２Ａによって後述する押圧手段３のガイドローラ３４を案内するように構成されている。また、ベースプレート２１及び立設板２２には、それらの長手方向両端部近傍において該ベースプレート２１及び立設板２２を切り欠いた切欠き部２１Ｂ，２２Ｂが形成されている。
【００３４】
スライド軸２３は、立設板２２の側面に固定された固定軸２３Ａと、ベースプレート２１の長手方向両端部に設けられた固定板２３Ｂと、によって支持された長尺状の円柱部材で構成されている。このスライド軸２３は、後述するように、押圧手段３のスライド部材３１を長手方向にスライド案内するとともに、スライド部材３１を軸回りに回動自在に支持するものである。
【００３５】
また、立設板２２の切欠き部２２Ｂによって規制解除部が構成されている。即ち、後述するように、立設板２２の上端縁２２Ａによって押圧手段３のガイドローラ３４を案内することで、押圧手段３がシート部材Ｓを押圧する押圧位置からの回動が規制され、切欠き部２２Ｂによってガイドローラ３４の案内が解除されることで、押圧手段３の回動規制が解除されるようになっている。
【００３６】
押圧手段３は、スライド軸２３にスライド案内されて長手方向に移動可能なスライド部材３１と、このスライド部材３１から延びる２本の支持軸３２と、各支持軸３２の先端側に回転自在に支持される第一転動部材としての押圧ローラ３３と、スライド部材３１の支持軸３２と反対側面に回転自在に設けられて立設板２２の上端縁２２Ｂに案内される２個のガイドローラ３４と、スライド部材３１の上面から延びて設けられる操作ハンドル３５と、を備えて構成されている。この押圧手段３は、操作ハンドル３５を左右に操作することで、ベースプレート２１の長手方向にスライド操作されるようになっている。
【００３７】
スライド部材３１は、スライド軸２３を挿通させる挿通孔３１Ａと、この挿通孔３１Ａに連通して固定軸２３Ａを通過させる切欠き３１Ｂと、を有して形成され、スライド軸２３に案内されることで、ベースプレート２１の長手方向に沿ってスライド移動自在に支持されている。また、スライド部材３１は、スライド軸２３に回動自在に支持されており、立設板２２の切欠き部２２Ｂに位置するとともに、立設板２２の上端縁２２Ｂによるガイドローラ３４の案内が外れ、即ち、回動規制が解除された状態において、スライド軸２３を中心として立設板２２の側に回動可能に構成されている。
【００３８】
押圧ローラ３３は、ベースプレート２１の支持面２１Ａとの間にシート部材Ｓを挟んで転動することで、シート部材Ｓの接着面Ｓ１同士を押圧して接着するように構成されている。即ち、図３に示すように、ガイドローラ３４が立設板２２の上端縁２２Ｂに案内された状態（押圧手段３が押圧位置にある状態）において、押圧ローラ３３と支持面２１Ａとの間には、二つ折りにしたシート部材Ｓの重なり厚さよりも小さな隙間が形成されるようになっており、これによりシート部材Ｓを押圧できるようになっている。
【００３９】
次に、外装部材取付装置１を用いたシート部材Ｓの電線部分Ｗ１への取付手順について、図４も参照して説明する。先ず、押圧手段３を支持手段２の一方側（例えば、図１の左側）の端部に移動させるとともに、立設板２２の切欠き部２２Ｂに位置させ、図５（Ａ）に示すように、スライド軸２３を中心としてスライド部材３１を回動させることで、押圧ローラ３３をベースプレート２１の支持面２１Ａから離れる上方に退避させる。このように押圧ローラ３３を退避させた状態において、ベースプレート２１の支持面２１Ａにシート部材Ｓを載置するとともに、そのクランプをクランプ受け２６の係合凹部２６Ａに係合させて、シート部材Ｓを支持面２１Ａに保持させ、このシート部材Ｓを二つ折りにした内側に電線部分Ｗ１をセットする。
【００４０】
次に、スライド部材３１を回動させて押圧ローラ３３とベースプレート２１の支持面２１Ａとの間にシート部材Ｓを挟み、スライド軸２３に沿ってスライド部材３１を他方側（例えば、図１の右側）に移動させ、図５（Ｂ）に示すように、立設板２２の上端縁２２Ａにガイドローラ３４を当接させることで、スライド部材３１の回動を規制する。このように押圧手段３を押圧位置に位置させたら、操作ハンドル３５を操作して押圧手段３をベースプレート２１の長手方向にスライド移動させ、押圧ローラ３３によって重ねたシート部材Ｓを押圧し、その接着面Ｓ１同士を接着してシート部材Ｓで電線部分Ｗ１を覆う。
【００４１】
次に、押圧手段３をベースプレート２１の他方側（例えば、図１の右側）の端部まで移動させて、シート部材Ｓの全長を接着して電線部分Ｗ１を覆ったら、他方側における立設板２２の切欠き部２２Ｂに押圧手段３を位置させ、図５（Ｃ）に示すように、スライド部材３１を回動させて押圧ローラ３３を退避させる。このように押圧ローラ３３を退避させた状態において、クランプ受け２６の係合凹部２６Ａからシート部材Ｓのクランプを外し、ベースプレート２１からシート部材Ｓ及び電線部分Ｗ１を離脱させることで、シート部材Ｓの取付作業が完了する。その後、ベースプレート２１の一方側に押圧手段３を戻してから上述の作業を繰り返してもよいし、ベースプレート２１の他方側から一方側に向かって上述と逆の作業を行ってもよい。
【００４２】
なお、本実施形態の外装部材取付装置１は、前述したものに限らず、図６〜図８に示す形態を有して構成されていてもよい。この外装部材取付装置１において、支持手段２は、押圧手段３をベースプレート２１の長手方向にスライド案内する案内部材としてのレール２７を有して構成されている。一方、押圧手段３は、レール２７に案内されるスライド部材３６と、このスライド部材３６に回動自在に支持されて端部に押圧ローラ３３を有する回動部材３７と、スライド部材３６と回動部材３７とに亘って設けられて押圧ローラ３３をベースプレート２１の支持面２１Ａに向かって付勢するコイルばね３８と、を有して構成されている。
【００４３】
スライド部材３６には、レール２７を挿通させる挿通溝３６Ａを有した本体部３６Ｂと、この本体部３６Ｂから下方に延びるとともにレール２７側に折れ曲がりシート部材Ｓの内方に電線部分Ｗ１を位置付ける位置決め部３６Ｃと、が形成されている。位置決め部３６Ｃと本体部３６Ｂの下面との間には隙間が形成され、この隙間にシート部材Ｓを受け入れることで、シート部材Ｓを二つ折り形状に付勢するとともに、このシート部材Ｓの内方に向かって位置決め部３６Ｃの先端で電線部分Ｗ１を押し込んで位置付けるように構成されている。この位置決め部３６Ｃでシート部材Ｓと電線部分Ｗ１とを案内しつつ、スライド部材３６がベースプレート２１に沿って移動し、このスライド部材３６の後方に位置する押圧ローラ３３がシート部材Ｓを押圧して接着面Ｓ１同士を接着するように構成されている。
【００４４】
以上の外装部材取付装置１によれば、電線部分Ｗ１を挟んで二つ折りにしたシート部材Ｓを支持手段２のベースプレート２１で支持し、このシート部材Ｓの外装面Ｓ２に沿って押圧手段３の押圧ローラ３３を転動させてシート部材Ｓを押圧することで、電線部分Ｗ１を挟んだシート部材Ｓの接着面Ｓ１同士を簡単かつ確実に接着することができ、ワイヤハーネスＷに対するシート部材Ｓの取付作業の作業性を向上させることができる。
【００４５】
さらに、立設板２２の切欠き部２２Ｂの位置において、スライド軸２３を中心としてスライド部材３１を回動させることによって、押圧位置から押圧ローラ３３を退避させることができるので、ベースプレート２１にシート部材Ｓ及び電線部分Ｗ１をセットする際や、シート部材Ｓ及び電線部分Ｗ１を取り出す際には、押圧ローラ３３を退避させることで、セット作業及び取り出し作業を容易に実施することができる。
【００４６】
また、シート部材Ｓに設けられたクランプをベースプレート２１に設けたクランプ受け２６の係合凹部２６Ａに係合させることで、ベースプレート２１の支持面２１Ａにシート部材Ｓを位置決めすることができ、シート部材Ｓの二つ折り作業や接着作業の際に位置ずれを防止することができ、作業効率をさらに向上させるとことができる。また、位置決め部３６Ｃによってシート部材Ｓを二つ折り形状に付勢し、その内方に電線部分Ｗ１を位置付けることで、シート部材Ｓを接着する際に電線部分Ｗ１がはみ出したり押圧ローラ３３で押圧する部分に噛み込んだりすることが防止でき、接着作業の作業効率をより一層向上させることができる。
【００４７】
［第二実施形態］
次に、本発明の第二実施形態にかかる外装部材取付装置を、図９〜１２を参照して説明する。本実施形態の外装部材取付装置１Ａは、支持手段２Ａ及び押圧手段４を備えて構成されている。支持手段２Ａは、前記第一実施形態の支持手段２から立設板２２やスライド軸２３等が省略され、支持手段２と略同様の第二支持部材としてのベースプレート２１を有して構成されている。一方、押圧手段４は、前記押圧手段３と相違し、支持手段２Ａに対して脱着自在かつ持ち運び自在に構成されており、複数の電線部分Ｗ１に対して押圧手段４を容易に持ち運んでシート部材Ｓの取付作業が実施できるように構成されている。
【００４８】
押圧手段４は、押圧本体部４１と、この押圧本体部４１に回転自在に支持されてベースプレート２１の支持面２１Ａとの間にシート部材Ｓを挟んで転動可能な第二転動部材としての押圧ローラ４２と、押圧本体部４１に設けられてベースプレート２１の左右の端面２１Ｃにそれぞれ当接可能な一対の第一当接部材としての位置決めローラ４３，４４と、押圧本体部４１に設けられてベースプレート２１の裏面２１Ｄに当接可能な一対の第二当接部材としての挟持ローラ４５，４６と、を備えて構成されている。
【００４９】
押圧本体部４１は、上下に長尺に形成された板状の基板４７と、この基板４７に沿って上下方向に進退移動自在に支持された進退部材４８と、この進退部材４８を基板４７に対して上方に付勢するコイルばね４９と、を備えて構成されている。そして、押圧ローラ４２と、一対の位置決めローラ４３，４４のうちの位置決めローラ４３と、一対の挟持ローラ４５，４６のうちの挟持ローラ４５と、が進退部材４８に設けられ、位置決めローラ４４及び挟持ローラ４６が基板４７に設けられている。
【００５０】
基板４７において、その上端部には第一操作ハンドル４７Ａが設けられ、その側面には進退部材４８をガイドする一対のガイド板４７Ｂが設けられ、その側端面には、進退部材４８の上昇を規制して押圧位置に位置決めする係止部材４７Ｃと、進退部材４８の下降を規制するストッパー４７Ｄと、が設けられている。また、基板４７の内面には、図１２にも示すように、押圧位置にある押圧ローラ４２の前方に位置してシート部材Ｓを二つ折り形状に付勢するシート案内片４７Ｅが取り付けられている。このような基板４７の下端部内面側に挟持ローラ４６が回転自在に支持され、基板４７の側端縁に２個の位置決めローラ４４が回転自在に支持されている。さらに、基板４７の背面部に固定されたピン４７Ｆにコイルばね４９の上端部が取り付けられている。
【００５１】
進退部材４８は、基板４７のガイド板４７Ｂに支持されるスライド板４８Ａと、このスライド板４８Ａに固定されて基板４７から離れる側に延びる延出片４８Ｂと、この延出片４８Ｂの先端から下方に延びる垂下片４８Ｃと、スライド板４８Ａの上端部に固定された第二操作ハンドル４８Ｄと、を有して構成されている。延出片４８Ｂの下面には、ストッパー４７Ｄに当接可能な当接ピン４８Ｅが固定されている。また、スライド板４８Ａの下端部内面側に押圧ローラ４２が回転自在に支持され、垂下片４８Ｃの下端部内面側に挟持ローラ４５が回転自在に支持され、垂下片４８Ｃの側端縁に２個の位置決めローラ４３が回転自在に支持されている。また、スライド板４８Ａの表面側には、図１１にも示すように、係止部材４７Ｃに係止される複数の歯を有した被係止部材４８Ｆが固定されている。さらに、スライド板４８Ａの背面部に固定されたピン４７Ｇにコイルばね４９の下端部が取り付けられている。
【００５２】
以上の押圧手段４の動作としては、先ず、係止部材４７Ｃによる被係止部材４８Ｆの係止を解除し、コイルばね４９の付勢力によって進退部材４８を上方に移動させた状態から、図１０（Ａ）に示すように、基板４７の位置決めローラ４４をベースプレート２１の端面２１Ｃに当接させるとともに、挟持ローラ４６をベースプレート２１の裏面２１Ｄに当接させる。この状態において、進退部材４８の挟持ローラ４５をベースプレート２１の切欠き部２１Ｂ上方に位置させてから、第二操作ハンドル４８Ｄを押し下げ、コイルばね４９の付勢力に抗して基板４７に対して進退部材４８を下降させ、切欠き部２１Ｂに挟持ローラ４５を挿通させて裏面２１Ｄ側に位置させるとともに、位置決めローラ４３をベースプレート２１の端面２１Ｃに当接させる。
【００５３】
次に、第一操作ハンドル４７Ａと第二操作ハンドル４８Ｄとを握って進退部材４８をさらに下降させ、被係止部材４８Ｆの歯に係止部材４７Ｃを係止させて位置決めしつつ、押圧ローラ４２でシート部材Ｓを押圧する。適度な押圧力となる歯の位置まで進退部材４８を下降させたら、被係止部材４８Ｆに係止させた係止部材４７Ｃを基板４７に固定し、押圧ローラ４２による押圧状態を維持させる。そして、押圧手段４全体をベースプレート２１の長手方向に移動させ、シート部材Ｓに沿って押圧ローラ４２を転動させて接着面Ｓ１同士を接着する。この押圧手段４の移動の際、図１２に示すように、押圧ローラ４２の前方に位置するシート案内片４７Ｅがシート部材Ｓを二つ折り形状に付勢し、このように二つ折りにしたシート部材Ｓを押圧ローラ４２が押圧して接着できるようになっている。
【００５４】
シート部材Ｓの反対側の端部まで接着したら、第一操作ハンドル４７Ａと第二操作ハンドル４８Ｄとを握って、係止部材４７Ｃによる被係止部材４８Ｆの係止を解除するとともに、挟持ローラ４５をベースプレート２１の切欠き部２１Ｂに位置させてから、第二操作ハンドル４８Ｄの押し下げ力を緩める。これにより、コイルばね４９の付勢力によって進退部材４８を上方に移動させ、挟持ローラ４５を切欠き部２１Ｂに挿通させることで、押圧ローラ４２をシート部材Ｓから離隔させて退避させる。その後、押圧手段４を支持手段２Ａから取り外し、ベースプレート２１からシート部材Ｓ及び電線部分Ｗ１を離脱させることで、シート部材Ｓの取付作業が完了する。
【００５５】
以上の外装部材取付装置１によれば、押圧手段４に押圧ローラ４２、位置決めローラ４３，４４及び挟持ローラ４５，４６が設けられ、これらの各ローラによってベースプレート２１と位置決めした状態で、押圧手段４を移動して押圧ローラ４２を転動させることでシート部材Ｓを押圧することができる。従って、支持手段２Ａに押圧手段４を案内する案内部材等を設ける必要がなく、支持手段２Ａの構成を簡単化して小型化することができるので、布線板等に複雑な配索形態で設置されたワイヤハーネスＷに対して支持手段２Ａを設置しやすくでき、この支持手段２Ａのベースプレート２１に対して押圧手段４の位置ずれを防止しつつシート部材Ｓの接着作業を円滑に実施することができる。
【００５６】
さらに、押圧本体部４１が進退部材４８と係止部材４７Ｃ及び被係止部材４８Ｆとを有して構成され、進退部材４８をベースプレート２１の支持面２１Ａに向かって移動させるとともに、係止部材４７Ｃで被係止部材４８Ｆを係止して位置決めすることで、押圧ローラ４２を適宜な押圧位置に維持した状態でシート部材Ｓに沿って転動させることができる。さらに、係止部材４７Ｃによる被係止部材４８Ｆの係止を解除してから、コイルばね４９の付勢力によって進退部材４８を支持面２１Ａから離れる方向に移動させ、押圧ローラ４２を退避させることができる。従って、ベースプレート２１に対するシート部材Ｓのセット作業及び取り出し作業を容易に実施することができるとともに、押圧手段４を容易に持ち運んで他の電線部分Ｗ１に対するシート部材Ｓの取付作業が実施できる。
【００５７】
［第三実施形態］
次に、本発明の第三実施形態にかかる外装部材取付装置を、図１３〜１５を参照して説明する。本実施形態の外装部材取付装置１Ｂは、支持手段５及び押圧手段６を備え、これらの支持手段５及び押圧手段６が一体的に設けられて持ち運び可能に構成されている。この外装部材取付装置１Ｂは、ワイヤハーネスＷにおける分岐した複数の電線部分Ｗ１のうち、込み合った部分に位置する電線部分Ｗ１に対してシート部材Ｓの取付作業が実施できるように、小型かつ持ち運び容易に構成されたハンディタイプのものである。
【００５８】
支持手段５は、支持ベース５１と、この支持ベース５１に回転軸５２を介して回転自在に支持された第三支持部材としての２個の支持ローラ５３と、を備え、２個の支持ローラ５３がシート部材Ｓの一方の外装面Ｓ２に当接可能かつ転動可能に構成されている。一方、押圧手段６は、押圧ベース６１と、この押圧ベース６１に回転軸６２を介して回転自在に支持された第三転動部材としての２個の押圧ローラ６３と、支持ベース５１に対して押圧ベース６１を進退移動自在に支持する３本のガイドロッド６４と、シート部材Ｓを押圧する位置で支持ベース５１に対して押圧ベース６１をロックするロック機構６５と、を備えて構成されている。
【００５９】
ロック機構６５は、押圧ベース６１の側面に２本の固定ボルト６５Ａで固定されたロック部材６５Ｂと、このロック部材６５Ｂに形成された長孔６５Ｃに挿通されるとともに支持ベース５１に螺合される締付けねじ６５Ｄと、を有して構成されている。このロック機構６５は、締付けねじ６５Ｄを支持ベース５１に対して締め付けることで、支持ベース５１に対してロック部材６５Ｂ及び押圧ベース６１を移動不能にロックするものである。
【００６０】
外装部材取付装置１Ｂの動作としては、先ず、締付けねじ６５Ｄを緩めてから、図１４（Ａ）に示すように、支持ベース５１から離れる方向に押圧ベース６１を移動させ、支持ローラ５３と押圧ローラ６３との間にシート部材Ｓを位置させ、二つ折りしたシート部材Ｓ間に電線部分Ｗ１をセットする。次に、図１５に示すように、支持ベース５１に向かって押圧ベース６１を移動させ、支持ローラ５３と押圧ローラ６３との間にシート部材Ｓを挟んで押圧し、この押圧状態で締付けねじ６５Ｄを締め付けることで、押圧ローラ６３が押圧位置に位置決めされる。この状態で外装部材取付装置１Ｂをシート部材Ｓ及び電線部分Ｗ１の長手方向に沿って移動させ、支持ローラ５３及び押圧ローラ６３を転動させることで、シート部材Ｓを押圧して接着できるようになっている。
【００６１】
［第四実施形態］
次に、本発明の第四実施形態にかかる外装部材取付装置を、図１６、１７を参照して説明する。本実施形態の外装部材取付装置１Ｃは、支持手段７及び押圧手段８を備え、これらの支持手段７及び押圧手段８が一体的に設けられて持ち運び可能に構成されている。この外装部材取付装置１Ｃは、前記第三実施形態の外装部材取付装置１Ｂと同様に、込み合った部分に位置する電線部分Ｗ１に対してシート部材Ｓの取付作業が実施できるように、小型かつ持ち運び容易に構成されたハンディタイプのものである。
【００６２】
支持手段７は、支持ベース７１と、この支持ベース７１の下端部に設けられた回転軸７２を介して回転自在に支持された第四支持部材としての支持ローラ７３と、支持ベース７１の上端部に設けられた操作ハンドル７４と、を備え、支持ローラ７３がシート部材Ｓの一方の外装面Ｓ２に当接可能かつ転動可能に構成されている。支持ベース７１には、一対のガイド板７５が設けられ、これらのガイド板７５によって押圧手段８が上下方向に進退移動自在に支持されている。
【００６３】
押圧手段８は、ガイド板７５にスライド自在に支持されるスライド板８１と、このスライド板８１の下端部に回転軸８２を介して回転自在に支持された第四転動部材としての押圧ローラ８３と、支持ベース７１に対してガイド板７５を下方に付勢する付勢手段としてのコイルばね８４と、ガイド板７５に固定されて支持ベース７１の側方に突出して設けられた操作軸８５と、を備えて構成されている。コイルばね８４の下端部は、支持ベース７１に固定されたピン７６に取り付けられ、上端部は、スライド板８１に固定されたピン８６に取り付けられている。
【００６４】
外装部材取付装置１Ｃの動作としては、先ず、図１６（Ｂ）に示すように、操作ハンドル７４を掴み、コイルばね８４の付勢力に抗して操作軸８５を引き上げることで、支持ベース７１に対して押圧手段８を上昇させ、支持ローラ７３と押圧ローラ８３との間に隙間を形成し、この隙間にシート部材Ｓを位置させるとともに、二つ折りしたシート部材Ｓ間に電線部分Ｗ１をセットする。次に、図１６（Ａ）、図１７に示すように、操作軸８５を離してコイルばね８４の付勢力によって押圧手段８を下降させ、支持ローラ７３と押圧ローラ８３との間にシート部材Ｓを挟んで押圧し、この押圧状態で外装部材取付装置１Ｃをシート部材Ｓ及び電線部分Ｗ１の長手方向に沿って移動させ、支持ローラ７３及び押圧ローラ８３を転動させることで、シート部材Ｓを押圧して接着できるようになっている。
【００６５】
以上のような第三、四実施形態によれば、布線板等に複雑な配索形態で設置されたワイヤハーネスＷに対して、布線板等に支持手段を設置する必要がなく、適宜な位置に外装部材取付装置１Ｂ，１Ｃを搬送してシート部材Ｓの接着作業を実施することができる。さらに、支持手段５，７に対して押圧手段６，８が進退自在に設けられているので、押圧ローラ６３，８３を支持ローラ５３，７３から離れる方向に退避させることができ、シート部材Ｓのセット作業及び取り出し作業を容易に実施することができる。また、押圧ローラ６３，８３の押圧位置において、ロック機構６５によって位置決めされるか、又は、コイルばね８４の付勢力によって付勢されることで、一定の押圧力によってシート部材Ｓを押圧して接着作業を実施することができる。
【００６６】
なお、前記実施形態では、ワイヤハーネスＷにおける複数個所の電線部分Ｗ１にシート部材Ｓを取り付ける場合を例示したが、１つのワイヤハーネスＷに１つのシート部材Ｓを取り付ける場合にも本発明の外装部材取付装置を利用することができる。また、前記実施形態では、シート部材Ｓや電線部分Ｗ１のセットを作業者の手作業で行う場合を説明したが、これに限らず、シート部材Ｓや電線部分Ｗ１を自動的に配置する自動配置手段を設けてもよい。さらに、前記実施形態では、押圧手段３，４，６，８の移動を作業者の手作業で行う場合を例示したが、これに限らず、適宜な駆動手段や制御手段を用いて押圧手段を移動させるように構成してもよい。
【符号の説明】
【００６７】
１，１Ａ，１Ｂ，１Ｃ  外装部材取付装置
２，２Ａ，５，７  支持手段
３，４，６，８    押圧手段
２１    ベースプレート（第一支持部材、第二支持部材）
２１Ａ  支持面
２２    立設板（規制部材）
２２Ｂ  切欠き部（規制解除部）
２３    スライド軸（案内部材）
２６Ａ  係合凹部
３１    スライド部材
３３    押圧ローラ（第一転動部材）
３６Ｃ  位置決め部
４１    押圧本体部
４２    押圧ローラ（第二転動部材）
４３，４４  位置決めローラ（第一当接部材）
４５，４６  挟持ローラ（第二当接部材）
４８    進退部材
５３    支持ローラ（第三支持部材）
６３    押圧ローラ（第三転動部材）
６５    ロック機構
７３    支持ローラ（第四支持部材）
８３    押圧ローラ（第四転動部材）
８４    コイルばね（付勢手段）
Ｓ      シート部材
Ｓ１    接着面
Ｓ２    外装面
Ｗ      ワイヤハーネス
Ｗ１    電線部分
【図１】
0005982061.tif 000002
【図２】
0005982061.tif 000003
【図３】
0005982061.tif 000004
【図４】
0005982061.tif 000005
【図５】
0005982061.tif 000006
【図６】
0005982061.tif 000007
【図７】
0005982061.tif 000008
【図８】
0005982061.tif 000009
【図９】
0005982061.tif 000010
【図１０】
0005982061.tif 000011
【図１１】
0005982061.tif 000012
【図１２】
0005982061.tif 000013
【図１３】
0005982061.tif 000014
【図１４】
0005982061.tif 000015
【図１５】
0005982061.tif 000016
【図１６】
0005982061.tif 000017
【図１７】
0005982061.tif 000018